(57)【要約】【課題】  基板ボックスのベース体とカバー体とを封印部によって封印して不正行為を防止する。【解決手段】  ベース体７８と、そのベース体７８に開閉可能に装着されたカバー体７９によって構成されかつ回路基板７７が収納された基板ボックス７６がボックス装着部７１に装着される。ベース体７８とカバー体７９との間には、これらベース体７８に対しカバー体７９を封印する封印部８０が設けられている。【選択図】        図１８
2005193009.tif 000002
【特許請求の範囲】
【請求項１】
ベース体と、そのベース体に開閉可能に装着されたカバー体によって構成されかつ回路基板が収納された基板ボックスがボックス装着部に装着された遊技機であって、
前記ベース体と前記カバー体との間には、これらベース体に対しカバー体を封印する封印部が設けられていることを特徴とする遊技機。
【発明の詳細な説明】
【技術分野】
【０００１】
この発明は、球（パチンコ球）を用いて遊技を行う遊技機（例えば、パチンコ機等の弾球遊技機）、あるいはメダルを用いて遊技を行うスロットマシン等の遊技機に関する。
【背景技術】
【０００２】
従来、この種の遊技機において、遊技機の所定位置に配置されたボックス装着部に対し、主制御基板、副制御基板、枠制御基板等の回路基板が収納された基板ボックスが適宜の装着手段によって装着される。
例えば、ボックス装着部に対し、基板ボックスは、ビスによる締付手段やクリップによる弾性係止手段やこれら手段の組合せによって装着されたり、あるいは、一側がヒンジ機構によって回動可能に支持され、他側が係止機構によって係脱可能に係止されることで装着されるようになっている。
また、基板ボックスは、ベース体と、そのベース体に開閉可能に装着されたカバー体によって形成された収納室に回路基板が収納されるようになっている。
そして、回路基板上に実装された電子部品（例えば、ＲＯＭ）等が不正に交換されたりする等の不正行為を防止するために、ベース体とカバー体との間には、所定数（主として複数）の封印部が設けられている。
また、ベース体とカバー体との間に設けられる封印部には、多様な構造のものが知られている。
例えば、ベース体とカバー体との間に設けられる封印部としては、カバー体に一体に形成された連結部の挿通孔から封印ねじを挿通し、その封印ねじをベース体に一体に形成された連結部の締付部にねじ込むことによって、ベース体とカバー体とが封印されるように構成されたものも知られている。
また、ベース体とカバー体との間に設けられる封印部としては、カバー体に一体に形成された連結部の挿通孔からベース体に一体に形成された連結部の締付部にわたって筒状部材が挿通された後、その筒状部材の中心孔に封印ねじをねじ込むことによって、筒状部材の一端部の絞り孔部において押し広げてかしめることで、そのカシメ部がベース体の連結部の締付部に係合する。これによって、ベース体とカバー体とが封印されるように構成されたものも知られている。（例えば、特許文献１参照）。
また、封印ねじとしては、その封印ねじの頭部に形成された工具用溝が締め付け方向に対してのみ、工具（例えば、ドライバー）に係合し、反対方向へは逃げるように工夫されたワンウエーねじが知られている。
また、封印ねじとしては、その頭部の工具用溝に対し所定値以上の締め付け力が作用したときに、頭部が破断される破断ねじが知られいる（例えば、特許文献２参照）。
前記した各種構造をもつ封印部は、遊技機メーカから遊技機を出荷する前に、予め遊技機メーカ側で封印される。
そして、遊技機ホールに設置され遊技機の基板ボックスを警察官等の立ち会いのもとで正規に検査を行う場合、封印部（以下、検査用封印部ともいう）をなすベース体とカバー体との連結部の根元部がニッパ等の工具によって切断されることで開封される。これによって、基板ボックスのベース体に対しカバー体が開かれ回路基板等が検査されるようになっている。
【特許文献１】特開２００３ー２６５８０８号公報
【特許文献２】特開２０００ー３０８７４３号公報
【発明の開示】
【発明が解決しようとする課題】
【０００３】
ところで、前記した従来の基板ボックスの検査用封印部の構造においては、その検査用封印部に破壊跡や復元跡がないか否かを目視することによって、検査用封印部が不測に開封されたか否かを確認することができる。そして、検査用封印部が不測に開封されていることを目視した上で、基板ボックスを点検することによって、基板ボックスに対する不正行為を早期に発見することができる。
しかしながら、例えば、基板ボックスが不測に取り外されて、その基板ボックスの裏面に対し、不正電子部品や不正基板が付設されたり、あるいは不正接続線が配線された後、その基板ボックスが元の装着状態に戻された場合には、その基板ボックスを表面側から目視するだけでは前記不正電子部品、不正基板、不正接続線等の存在が不明となり、不正行為を発見することが困難となり、不正行為の発見が遅れる。
また、遊技機メーカにおいて設置される正規の基板ボックスと比べ外観上は見分けがつきにくい不正の基板ボックスが、正規の基板ボックスと置き換えられて基板装着部に装着されている場合においても、その不正行為を発見することが困難となり、不正行為の発見が遅れる。
【０００４】
この発明の目的は、前記問題点に鑑み、基板ボックスのベース体とカバー体とを検査用封印部によって封印するとともに、遊技機ホールの管理下において、基板装着部と基板ボックスとを必要に応じて封印可能にすることで、基板ボックスを二重に封印可能にするとともに、基板装着部に装着されている基板ボックスの裏面に対する不正行為や、基板ボックスの不正取替を早期に発見することができる遊技機を提供することである。
【課題を解決するための手段】
【０００５】
前記目的を達成するために、請求項１の発明に係る遊技機は、
「ベース体と、そのベース体に開閉可能に装着されたカバー体によって形成された収納室に回路基板が収納された基板ボックスがボックス装着部に装着された遊技機であって、
前記ベース体と前記カバー体との間には、同ベース体に対しカバー体を封印しかつ検査時に開封される検査用封印部が設けられ、
前記ボックス装着部と前記基板ボックスとの間には、遊技機ホールの管理下において、必要に応じて、前記ボックス装着部に対し基板ボックスを封印可能なホール管理用封印部が設けられていることを特徴とする遊技機。」を要旨とするものである。
【０００６】
前記構成において、基板ボックスのベース体とカバー体との間に設けられた検査用封印部を目視することによって、検査用封印部が不測に開封されたか否かを確認することができる。
そして、検査用封印部が不測に開封されていることを目視した上で、基板ボックスを点検することによって、基板ボックスに対する不正行為を早期に発見することができる。
特に、遊技機ホールの管理下において、必要に応じてホール管理用封印部によって基板装着部と基板ボックスとを封印可能にすることで、基板ボックスを二重に封印可能にすることができる。
遊技機ホールの管理下において、必要に応じて、ホール管理用封印部において基板装着部と基板ボックスとを封印した場合には、基板装着部と基板ボックスとの間に設けられたホール管理用封印部を目視することによって、ホール管理用封印部が不測に開封されたか否かを確認することができる。
そして、ホール管理用封印部が不測に開封されていることを目視した上で、基板ボックスの裏面や、基板ボックス自体を点検することによって、基板ボックスの裏面に対する不正行為や、基板ボックスの不正取替を早期に発見することができる。
【０００７】
請求項２の発明に係る遊技機は、
「請求項１に記載の遊技機であって、
ホール管理用封印部は、ホール管理用紐状封印部材と、
ボックス装着部と基板ボックスとの相互に設けられた装着側挿通部並びにボックス側挿通部を備え、
遊技機ホールの管理下において、前記ホール管理用紐状封印部材が準備され、かつ必要に応じて前記ホール管理用紐状封印部材が前記装着部側挿通部と前記ボックス側挿通部にわたって挿通されて封印可能に構成されていることを特徴とする遊技機。」を要旨とするものである。
【０００８】
前記構成において、遊技機ホールの管理下において準備されたホール管理用紐状封印部材が装着側挿通部とボックス側挿通部にわたって挿通された後、同ホール管理用紐状封印部材の両端部が離脱不能あるいは離脱困難に結合されることによって、ボックス装着部と基板ボックスとが容易に封印される。
ホール管理用紐状封印部材は、市販品そのままの状態のものではなく、遊技機ホールにおいて管理できるように工夫された紐状封印部材が用いられる。
また、ホール管理用紐状封印部材としては、例えば、合成樹脂製の結束ベルト、金属製の紐状部材、繊維の紐状部材等が含まれる。
ホール管理用紐状封印部材として合成樹脂製の結束ベルトを用いた場合、市販されていない特殊な仕様とする。例えば、結束ベルトを独特の蛍光色に形成したり、あるいはベルトの表面にブラックライトによって照らすことで認識可能なインクによって封印表示（模様、番号、記号等の表示）を印刷したり、成形時に表面に精微な模様や文字等を刻み込む等の加工を施す。
また、ホール管理用紐状封印部材として金属製の紐状部材を用いた場合、金属製の紐状部材の両端部を鉛のような結束筒に挿入してから、その結束筒を専用のかしめ工具によってかしめ、そのカシメ部の表面に遊技機ホール特有の封印表示（凹凸模様、番号、記号等の表示）を設けて封印する。
また、ホール管理用紐状封印部材として繊維の紐状部材を用いた場合、紐状部材の両端を熱可塑性樹脂よりなる結束体の溶融固化によって結合し、その結合樹脂部分の表面に遊技機ホール特有の封印表示（凹凸模様、番号、記号等の表示）を設けて封印する。
【０００９】
請求項３の発明に係る遊技機は、
「請求項１又は２に記載の遊技機であって、
ボックス装着部は略鉛直状をなし、
基板ボックスは、その一側においてヒンジ機構によってボックス装着部に水平方向に回動可能に装着されていることを特徴とする遊技機。」を要旨とするものである。
【００１０】
前記構成において、略鉛直状をなすボックス装着部に対し基板ボックスをヒンジ機構によって水平方向に回動可能に装着することによって、その基板ボックスをヒンジ部に生じる摩擦力や自重によって前記水平回動位置に静止可能となる。
そして、基板ボックスを所望とする水平角度位置まで回動した状態において、その基板ボックスの裏面を目視によって点検する作業を容易に行うことができる。
【００１１】
請求項４の発明に係る遊技機は、
「請求項３に記載の遊技機であって、
基板ボックスの自由端側に位置してホール管理用紐状封印部材に対応する装着側挿通部とボックス側挿通部とがそれぞれ形成されていることを特徴とする遊技機。」を要旨とするものである。
【００１２】
前記構成において、基板ボックスの自由端側に位置する装着側挿通部とボックス側挿通部にわたってホール管理用紐状封印部材を挿通し、その両端部を結束して封印することによって、前記ホール管理用紐状封印部材が本来の封印としての機能の他、ボックス装着部に対し基板ボックスを装着姿勢に係止する係止機能を兼ね備えることができる。
さらに、ボックス装着部に対し基板ボックスをヒンジ機構において強制的に回動しづらくすることができ、基板ボックスの裏面に対する不正行為の防止に効果が大きい。
すなわち、基板ボックスのヒンジ機構側に位置して装着側挿通部とボックス側挿通部とがそれぞれ形成されると、ホール管理用紐状封印部材によって封印されている場合においても、ボックス装着部に対し基板ボックスをヒンジ機構において強制的に回動してその基板ボックスの自由端側の裏面とボックス装着部との間に隙間を生じさせ、その隙間からの不正基板等が挿入されて不正行為がなされることが想定されるが、前記したよに基板ボックスの自由端側に装着側挿通部とボックス側挿通部を設けてホール管理用紐状封印部材によって封印することで、前記不正行為を防止することができる。
【００１３】
請求項５の発明に係る遊技機は、
「請求項１〜４のいずれか一項に記載の遊技機であって、
ボックス装着部に基板ボックスが装着された状態において、奥側にベース体が位置するとともに、手前側にカバー体が位置し、
前記ボックス装着部と前記カバー体との間に、ホール管理用封印部が設けられていることを特徴とする遊技機。」を要旨とするものである。
【００１４】
前記構成において、基板ボックスのベース体とカバー体とを検査用封印部によって封印するとともに、遊技機ホールの管理下において、ホール管理用封印部によって基板装着部と基板ボックスのカバー体とを必要に応じて封印可能にすることで、基板ボックスのカバー体を二重に封印可能にすることができる。
また、ボックス装着部に対し基板ボックスの奥側のベース体が装着された状態において、検査用封印部を開封してカバー体を開放することによって、回路基板の検査を容易に行うことができる。
【発明の効果】
【００１５】
この発明によれば、基板ボックスのベース体とカバー体とを検査用封印部によって封印するとともに、遊技機ホールの管理下において、必要に応じてホール管理用封印部によって基板装着部と基板ボックスとを封印可能にすることで、基板ボックスを二重に封印可能にすることができる。
また、ホール管理用封印部によって基板装着部と基板ボックスとを封印した場合には、基板装着部と基板ボックスとの間に設けられたホール管理用封印部を目視することによって、ホール管理用封印部が不測に開封されたか否かを確認することができる。
そして、ホール管理用封印部が不測に開封されていることを目視した上で、基板ボックスの裏面や、基板ボックス自体を点検することによって、基板ボックスの裏面に対する不正行為や、基板ボックスの不正取替を早期に発見することができる。
【発明を実施するための最良の形態】
【００１６】
次に、この発明を実施するための最良の形態を実施例にしたがって説明する。
【実施例】
【００１７】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠と遊技盤とを分離して斜め右上前方から示す斜視図である。図５は遊技機の本体枠を斜め左上前方から示す斜視図である。図６は遊技機の後側上部を拡大して示す部分背面図である。図７は図６のＶＩＩ−ＶＩＩ線に基づく側断面図である。図８は図６のＶＩＩＩ−ＶＩＩＩ線に基づく側断面図である。図９は本体枠の機構装着部の上隅部に形成された階段状装着部に端子基板が装着された状態を拡大して示す平断面図である。図１０は図６のＸ−Ｘ線に基づく側断面図である。図１１は階段状装着部に端子基板が装着された状態を拡大して示す縦断面図である。図１２は端子基板装着部としての階段状装着部の上段及び下段の各垂直装着部に端子基板がそれぞれ装着された状態を示す斜視図である。なお、説明の便宜上、遊技機において遊技者側を前、反対側を後として説明する。
【００１８】
［遊技機の概要について］
図１〜図３に示すように、遊技機としてのパチンコ機は、外枠１０、本体枠３０、遊技盤４０、ガラス扉１３０等を備えて構成されている。
外枠１０は、上下左右の各枠材によって縦長の四角枠状に形成され、その外枠１０の前面の一側（片側）には、本体枠開閉用ヒンジ機構２０によって本体枠３０が前方に開閉可能に装着されている。
【００１９】
［本体枠について］
本体枠３０は、合成樹脂材によって一体に形成されるとともに、図４に示すように、その前側に遊技盤装着部３１が後側に機構装着部１６０がそれぞれ形成されている。これによって、本体枠３０は、従来の前枠（内枠、前面枠等と呼ばれることがある）と、機構板（裏機構板、裏セット板等と呼ばれることがある）との機能を兼ね備えている。
また、本体枠３０には、その本体枠開閉用ヒンジ機構２０と反対側（自由端側）の後側において、外枠１０に設けられた係止具に係脱可能に係合して本体枠３０を閉じ状態に施錠する本体枠施錠フック１４５が配設されている。
【００２０】
図４と図５に示すように、本体枠３０の前側の遊技盤装着部３１は、遊技盤４０が前側から着脱交換可能に嵌込まれる遊技盤装着枠３３を有し、その遊技盤装着枠３３の奥側の枠部内周には遊技盤４０の後側の周縁部を受け止める後面受け部３４が形成されている。
また、遊技盤装着枠３３の一側内壁面の上下部２箇所には、後面受け部３４との間に遊技盤４０の一側部が差し込み可能な間隔を隔てて前面押え部３５が形成されている。
また、図５に示すように、遊技盤装着枠３３の他側内壁面の上下部２箇所には、遊技盤４０のロック部材５０に対応する係止溝３６が形成されている。
また、遊技盤装着枠３３の他側部近傍には、本体枠３０側と遊技盤４０側とを電気的に接続するための本体側コネクタ３７が設置されている。
また、遊技盤装着枠３３の下側部には、遊技盤４０の前面下部を遊技盤装着枠３３の後面受け部３４に押さえ付けて緊締するターンバックル形式の緊締具６０が装着されている。
【００２１】
［遊技盤について］
図１と図４に示すように、遊技盤４０は、遊技盤装着部３１の遊技盤装着枠３３に嵌込まれる大きさの略四角板状に形成されている。遊技盤４０の盤面（前面）には、外レール４２と内レール４３とを備えた案内レール４１が設けられ、その案内レール４１の内側に遊技領域４４が区画形成されている。
遊技盤４０には、その遊技領域４４内において、遊技に関する役物装置、例えば、センタ役物と呼ばれる役物装置４６、図柄表示装置４８、入賞装置等の役物装置や風車器、誘導釘、ランプ装飾部材等の各種の装備品が配設されている。これら各種の装備品のうち、所定の装備品の後部、この実施例では、役物装置４６の役物本体４７の後部４７ａが遊技盤４０の後側に突出して配設される（図３、図６及び図７参照）。
また、図４に示すように、遊技盤４０の前面には、その案内レール４１の外側領域において、合成樹脂製の前構成部材４０ａが装着されている。
【００２２】
この実施例において、役物装置４６の役物本体４７には、略中央部に開口窓が形成され、図柄表示装置（例えば、液晶パネル）４８の表示面４９は役物本体４７の後側においてその開口窓に臨んで装着されている。
そして、役物本体４７は、遊技盤４０の中央部に貫設された組付孔に嵌込まれ、同役物本体４７の後部４７ａ及び図柄表示装置４８の図柄制御基板ボックス４８ａは遊技盤４０の後側に突出して配設されている（図３、図６及び図７参照）。
【００２３】
また、図４と図５に示すように、遊技盤４０前面の前構成部材４０ａの他側寄りの上下２箇所には、遊技盤装着枠３３の係止溝３６に対応する位置においてロック部材５０が軸と左右方向の長孔によって回動操作可能に装着されている。
そして、遊技盤４０（前構成部材４０ａを含む）は、その左右の一側部が遊技盤装着枠３３の後面受け部３４と前面押え部３５との間に差し込まれ、ロック部材５０の先端のロック部５１が遊技盤装着枠３３の係止溝３６に差し込まれて係合されることで本体枠３０の遊技盤装着部３１に装着されるようになっている（図１参照）。
【００２４】
［本体枠の前側構造について］
図４と図５に示すように、本体枠３０前面の遊技盤装着部３１よりも下方に位置する下部領域の一側よりにはスピーカボックス部が一体に形成され、そのスピーカボックス部の前側開口部には、同開口部を塞ぐようにしてスピーカ装着板１０７が装着されている。そして、スピーカ装着板１０７にはスピーカ１０９が装着されている。
また、図４と図５に示すように、本体枠３０の前面の下部領域の他側寄り上部には、遊技盤４０の発射通路に向けて球を導く発射レール１００が傾斜状に装着されている。
また、図４に示すように、本体枠３０の前面の下部領域の前側には、その下部領域全体を覆うようにして下部前面板１１０が装着されている。下部前面板１１０の前面の略中央部には、下皿１１１が設けられ、片側寄りには操作ハンドル１１５が設けられている。
【００２５】
［ガラス扉について］
図１と図２に示すように、本体枠３０の前面の片側には、同本体枠３０の上端から下部前面板１１０にわたる部分を覆うようにしてガラス扉１３０が扉開閉用ヒンジ機構１２０によって前方に開閉可能に装着されている。ガラス扉１３０のヒンジ機構と反対側に自由端側の後側には、本体枠３０に設けられた扉施錠フック１４１に係脱可能に係合してガラス扉１３０を閉じ状態に施錠する係止部（図示しない）が設けられている。
また、ガラス扉１３０には、遊技盤４０の遊技領域４４を前方から透視可能な開口窓を構成する窓枠１３２が設けられ、その窓枠１３２にはガラス板、透明樹脂板等の透明板１３３が装着されている。
また、ガラス扉１３０の前面の開口窓を除く略全体は、ランプ等が内設された前面装飾部材によって装飾され、同ガラス扉１３０の前面の下部には上皿１３６が形成されている（図２参照）。
【００２６】
［本体枠後側の機構装着部の球タンク及びタンクレールについて］
一方、図３と図６に示すように、本体枠３０の後側の機構装着部１６０の上部には多数の球の貯留可能な容積をもつ球タンク１６５とタンクレール１７５とが連通状に装着されている。
また、図７に示すように、タンクレール１７５の前壁部は、遊技盤４０の後側に突出する装備品、例えば、役物装置４６の役物本体４７の後部４７ａの上端部との干渉を避けるための第１空間部Ｓ１を隔てた状態で設けられている。
また、この実施例において、タンクレール１７５の後壁部は、球タンク１６５の後側壁と略同一面をなしている。
言い換えると、球タンク１６５の後壁面に対しタンクレール１７５の後壁部１７６が略同一面となる位置までタンクレール１７５が遊技盤４０の後面より後方に離隔して配置されている。これによって、遊技盤４０の後側とタンクレール１７５の前壁部１７１との間に役物装置４６の役物本体４７の後部４７ａとの干渉を避けるための第１空間部Ｓ１が設けられるようになっている。
【００２７】
［球タンクについて］
図７、図１３及び図１４に示すように、球タンク１６５は、底板部１６６と周壁部１６７とを一体に備えて上方に開口する箱形状に形成されている。この球タンク１６５の底板部１６６の後部の一隅部には、タンクレール１７５に向けて球Ｂを放出する放出口１６８が形成されている。
球タンク１６５の底板部１６６は、その放出口１６８と対角部をなす近傍から放出口１６８に向かう斜めの線を谷部１６６ａとし、かつ対角部側が高く放出口１６８側が低い傾斜状をなす第１、第２の傾斜部１６６ｂ、１６６ｃによって形成されている。
すなわち、図に示すように、球タンク１６５の底板部１６６上には、放出口１６８から遠ざかる供給領域Ｐにおいて島設備の球供給路から球Ｂが供給され、その球Ｂが第１、第２の傾斜部１６６ｂ、１６６ｃに沿って放出口１６８に向けて流れるようになっている。
【００２８】
図１３と図１４に示すように、球タンク１６５の底板部１６６上には、球Ｂの流れを規制して放出口１６８やその近傍においる球詰まりを防止する規制体１７０が設けられている。
すなわち、球タンク１６５に規制体１７０が設けられていない場合において、島設備の球供給路から球タンク１６５の底板部１６６上の供給領域Ｐに多量の球Ｂが短時間に供給されると、放出口１６８に向けて多量の球Ｂが略同時にながれ放出口１６８やその近傍においてブリッジ現象による球詰まりが発生する場合がある。
そこで、この実施例においては、球タンク１６５の放出口１６８に向かう球Ｂの流れを規制体１７０によって規制することで、ブリッジ現象による球詰まりの発生を防止するようになっている。
【００２９】
また、図１３と図１４に示すように、規制体１７０は、球タンク１６５の後壁部内面に沿って平面形状が略台形、略円弧形、略三角形等に形成され、かつ球Ｂの直径寸法の略２倍程度の高さ寸法に形成されている。
また、規制体１７０は、球タンク１６５を合成樹脂材によって形成すると同時に一体に形成してもよく、球タンク１６５とは別個に形成してから球タンク１６５の所定位置にビス等の適宜の取付手段によって取り付けてもよい。
【００３０】
［タンクレールの整流体について］
図６と図１５に示すように、本体枠３０の後側の機構装着部１６０の一部にはタンクレール１７５の上方において同タンクレール１７５の上流側が高く下流側が低い傾斜状をなす天井部１８０が形成されている。この天井部１８０の所定位置（タンクレール１７５の前後２列のレール通路の下流側寄り部分に対応する位置）には上方に向けて凹まされた整流体装着用凹部１８１が形成されている。
【００３１】
整流体装着用凹部１８１には、前後一対の整流体１９０（球ならし体とも呼ばれることがある）が、その各上端部において共通の軸１９１を中心としてそれぞれ揺動可能に装着されている。これら一対の整流体１９０は、自重によって略垂下状をなすようにその下部には球等の単数又は複数の錘１９２がそれぞれ設けられている。そして、一対の整流体１９０の下端部はタンクレール１７５の前後２列のレール通路の上方に各１つの球Ｂがそれぞれ通過可能な空間を隔てて臨んでいる。これによって、タンクレール１７５の前後２列のレール通路を流れる球Ｂが上下に段積み状態となって流れたときには、その上段の球Ｂが整流体１９０によってならされるようになっている。
言い換えると、タンクレール１７５の前後２列のレール通路を流れる球Ｂが上下に段積み状態となることを前後一対の整流体１９０によって防止することで、その整流体１９０の下流側においては球Ｂがそれぞれ１列に整列されて流れるようになっている。
【００３２】
図１５に示すように、整流体装着用凹部１８１は、前後一対の整流体１９０がタンクレール１７５の前後２列のレール通路の下流側に向かう方向に略水平状をなす状態まで回動を許容する形状に形成されている。言い換えると、前後一対の整流体１９０が整流体装着用凹部１８１に格納される位置まで回動可能とすることで、天井部１８０の一般部１８０ａの下方に対し整流体１９０の突出部分が可及的に軽減されるようになっている。
このように整流体装着用凹部１８１内に前後一対の整流体１９０が格納可能に構成されることで、仮に、タンクレール１７５のレール通路に球Ｂが過剰となって貯められた状態にあるときには、これら球Ｂの流圧によって前後一対の整流体１９０がタンクレール１７５の前後２列のレール通路の下流側に向かう方向に軸１９１を中心としかつ略水平状をなす格納状態まで回動する。
【００３３】
すなわち、この実施例において、前後一対の整流体１９０は、天井部１８０の一般部１８０ａの下方に突出されることなく整流体装着用凹部１８１内に格納されるようになっている。このため、仮に、タンクレール１７５のレール通路に球Ｂが過剰となって貯められた状態にあるときにも、そのタンクレール１７５から球Ｂがこぼれ落ちる不具合を防止することができる。
例えば、前後一対の整流体１９０の回動角度がレール装着用凹部２３０の上側壁をなす天井部１８０に当たって小さく制限され、その整流体１９０の一部が天井部１８０の下方から大きく突出すると、その整流体１９０の突出部によって球Ｂの流れが阻害される。これによって、タンクレール１７５のレール通路に球Ｂが過剰となって貯められた状態にあるときには、タンクレール１７５のレール通路から球がこぼれ落ちる不具合が発生する場合がある。
しかしながら、この実施例によると、前記したようにタンクレール１７５のレール通路から球Ｂがこぼれ落ちる不具合を防止することができる。
【００３４】
特に、図１５の２点鎖線に示すように、整流体１９０が整流体装着用凹部１８１に格納される位置まで回動された状態において、天井部１８０の一般部１８０ａと整流体１９０の一側面（球Ｂに当接する側面）１９０ａとが略同一面をなし、かつ整流体装着用凹部１８１の下流側下端縁と、整流体１９０の一側面（球Ｂに当接する側面）１９０ａの先端部との間の隙間がごく僅になるように、整流体装着用凹部１８１と整流体１９０の形状とが設定されている。すなわち、整流体１９０の一側面（球Ｂに当接する側面）１９０ａはその一端から他端にわたって略平坦面に形成され、整流体１９０が整流体装着用凹部１８１に格納される位置まで回動された状態では、整流体１９０の一側面１９０ａが天井部１８０の一般部１８０ａと略隙間なく連続する同一面をなすように構成されている。
これによって、整流体１９０が整流体装着用凹部１８１に格納される位置まで回動された状態において、整流体装着用凹部１８１の下流側下端縁に球Ｂが当たって球詰まりを発生する不具合が解消されるようになっている。
言い換えると、例えば、整流体装着用凹部１８１の先端部が円弧状に形成された場合には、整流体１９０が整流体装着用凹部１８１に格納されるた状態において、整流体装着用凹部１８１の先端部と整流体装着用凹部１８１の下端縁との間に隙間が生じ、その隙間によって、整流体装着用凹部１８１の下流側下端縁に球Ｂが当たって球詰まりを発生する場合があるが、この実施例によると球詰まりを良好に防止することができる。
【００３５】
［本体枠後側の機構装着部のその他の構成について］
図３に示すように、本体枠３０の機構装着部１６０の片側（図３に向かって右側）寄りの上下方向には縦長状にユニット化された球払出装置２１０が装着されている。
また、図１０に示すように、機構装着部１６０の球払出装置２１０と遊技盤４０との間には、第１空間部Ｓ１と前後方向に略同一レベルにおいて第２空間部Ｓ２が設けられている。また、球タンク１６５、タンクレール１７５及び球払出装置２１０の装置本体のそれぞれの後面は略同一面をなしている。
【００３６】
また、この実施例において、図３に示すように、本体枠３０の後側の機構装着部１６０の下部領域の片側（図３に向かって左側）には、発射レール１００の下傾端部の発射位置に送られた球を発射するための発射ハンマー２３３、その発射ハンマー２３３を作動する発射モータ２３２等を有する発射装置ユニット２３０が装着されている。また、機構装着部１６０の下部領域の中央部には、電源基板を有する電源基板ボックス２４０と、枠制御基板を有する枠制御基板ボックス２３４とが前後に重ね合わされた状態で装着されている。
【００３７】
［端子基板装着部を構成する階段状装着部について］
遊技機の所定位置には、主制御基板ボックス７６の主制御基板、副制御基板ボックス８５の副制御基板等の制御基板、枠制御基板ボックス２３４の枠制御基板等の制御回路を有する制御基板と異なる複数の端子基板を装着するための端子基板装着部を構成する階段状装着部２５０が一体に形成されている。
すなわち、この実施例においては、図６に示すように、本体枠３０の機構装着部１６０の上隅部（図６において球タンク１６５の右側に隣接する部分）の近傍に、制御回路を有する制御基板と異なる複数の端子基板としての外部端子基板２６０と分電基板２７０とを装着するための階段状装着部２５０が一体に形成されている。
【００３８】
図１０〜図１２に示すように、階段状装着部２５０は、機構装着部１６０の後面（一般面）よりも凹んだ状態で一体に形成されている。
さらに、階段状装着部２５０は、遊技盤４０の後側に位置するとともに、前後方向にずれて所定高さを隔てる複数の棚部、この実施例では上段、下段の棚部２５１、２５５と、これら上段、下段の棚部２５１、２５５の奥側（前側）にそれぞれ略垂直状（若干傾斜状をなす状態も含む）をなして立ち上がる上段、下段の垂直装着部２５２、２５６とをそれぞれ備えて階段状に形成されている。
【００３９】
図１０と図１１に示すように、上段の垂直装着部２５６は、遊技盤４０の後側に接近して設けられている。
また、下段の垂直装着部２５２は、上段の棚部２５５の奥行き寸法に相当する分だけ遊技盤４０の後側に離隔して設けられている。これによって、遊技盤４０の後側と下段の垂直装着部２５２との間には、前述した１空間部Ｓ１及び第２空間部Ｓ２にそれぞれ連通する第３空間部Ｓ３が形成されている。
【００４０】
前記した下段及び上段の垂直装着部２５２、２５６には、外部端子基板２６０と分電基板２７０とがそれぞれ適宜の取付手段（例えば、ビス、クリップ、弾性係止片等の取付手段）によって装着されている。
【００４１】
この実施例において、図９、図１１及び図１２に示すように、下段の垂直装着部２５２には、外部端子基板２６０が嵌込まれる嵌込み部２６４が形成され、その嵌込み部２６４の左右両側部のうち、一側（図９に向かって右側）には、外部端子基板２６０の実装面の一側部を押える押え片２６５が一体に形成されている。
また、嵌込み部２６４の他側には、外部端子基板２６０の実装面の他側部を弾性的に止着して嵌込み部２６４に外部端子基板２６０を保持する弾性係止片２６６が弾性変形可能に一体に形成されている。
すなわち、外部端子基板２６０は、その一側部が嵌込み部２６４と押え片２６５との間に差し込まれた状態で、弾性係止片２６６を弾性的に変形させながられ、嵌込み部２６４に押し込まれることで、外部端子基板２６０が嵌込み部２６４に装着されるようになっている。
【００４２】
外部端子基板２６０は、周知のように、大当たり信号、扉開放信号、賞球信号等の信号をホールコンピュータに伝達するためのものであり、その外部端子基板２６０の実装面上には、前記した各種の信号に対応する複数の外部端子２６１がそれぞれ配設されている。
また、外部端子基板２６０の実装面の主要部は、基板カバー２６２によって覆われている。
図１１と図１２に示すように、基板カバー２６２の上下部には、下段の垂直装着部２５２の上下に形成された係合凹部に弾性的に係合する係止爪２６３が形成されている。そして、下段の垂直装着部２５２の上下の係合凹部に基板カバー２６２の係止爪２６３を弾性的に係合させることで、基板カバー２６２が装着され、その基板カバー２６２によって外部端子基板２６０の実装面の主要部が覆われるようになっている。なお、基板カバー２６２は合成樹脂材によって形成されその表面には多数の放熱孔が貫設されている。
【００４３】
図９、図１１及び図１２に示すように、上段の垂直装着部２５６には、外部電源を受けてその電源を電源基板ボックス２４０の電源基板や球貸機（図示しない）等に供給する分電基板２７０が基板ケース２７５に収納された状態で装着されている。
この実施例において、基板ケース２７５は、合成樹脂材よりなり、蓋板部２７６と段差状の周壁部２７７とを有する一側開口の箱形状に形成されている。
また、図９と図１１に示すように、基板ケース２７５の周壁部２７７の内壁面には、その段差部２７８との間に分電基板２７０の厚さ寸法に相当する距離を隔てて係止爪２７９が形成されている。そして、基板ケース２７５にはその開口部から段差部２７８に向けて分電基板２７０が挿入され、その段差部２７８と係止爪２７９との間に狭持された状態で基板ケース２７５内に収納されている。
【００４４】
また、図９と図１２に示すように、基板ケース２７５の周壁部２７７の開口部の左右両側部には、上段の垂直装着部２５６の上下に形成された係合凹部に弾性的に係合する左右一対の弾性係止片２８０が形成されている。そして、分電基板２７０は、基板ケース２７５に収納された状態で、同基板ケース２７５の左右一対の弾性係止片２８０が上段の垂直装着部２５６の係合凹部に弾性的に係合されることによって、上段の垂直装着部２５６に装着されるようになっている。
【００４５】
また、図９と図１２に示すように、基板ケース２７５の蓋板部２７６には、分電基板２７０の実装面に配設された外部電源用接続端子２７１と分電用接続端子２７２とをそれぞれ露出するための貫通孔が形成されている。
また、この実施例において、図９と図１２に示すように、基板ケース２７５の蓋板部２７６には、分電基板２７０の実装面に配設されたヒューズ等の点検・交換等のための点検口が開口されている。そして、点検口には開閉蓋２８１がその一側の軸部２８２を支点として開閉可能に装着されている。
また、開閉蓋２８１の自由端側には点検口の他側縁に係脱可能に係合して開閉蓋２８１を閉じ状態に保持する係止爪２８３が形成されている。また、開閉蓋２８１には、指先が挿入可能な開閉操作用の操作部２８４が一体に形成されている。
【００４６】
［後カバー体のボックス装着部に装着される基板ボックスについて］
図３、図１６及び図１７に示すように、遊技盤４０の後側には、その中央部から下部にわたる部分において、各種入賞装置に流入した球を受けかつその球を所定位置まで導く集合樋としての機能とボックス装着部としての機能を兼ね備えた後カバー体７０が設けられている。この後カバー体７０の略鉛直状をなす後面には、その後面をボックス装着部として音声制御基板、ランプ制御基板等の副制御基板８６が収納された副制御基板ボックス８５と、主制御基板７７が収納された主制御基板ボックス７６とが前後に重ね合わされた状態で装着されている。
【００４７】
この実施例において、後カバー体７０のボックス装着部７１と副制御基板ボックス８５との一側（図１６に向かって右側）には、ヒンジ機構７２を構成するヒンジ片７２ａ、７２ｂがそれぞれ一体に形成され、これらヒンジ片７２ａ、７２ｂにはヒンジピン７３ａとヒンジ孔７３ｂが形成されている。そして、ボックス装着部７１に対し、副制御基板ボックス８５がそのヒンジ機構７２のヒンジピン７３ａを中心として水平方向（垂直方向の軸線回り）に回動可能に支持されるとともに、ヒンジ孔７３ｂからヒンジピン７３ａが上方に抜け出る所定高さだけ持ち上げられることで取り外し可能に構成されている。
また、副制御基板ボックス８５の自由端側とボックス装着部７１には、副制御基板ボックス８５を装着状態に係脱可能に保持する適宜の係止具（図示しない）が配設されている。
また、副制御基板ボックス８５は、ベース体８７とそのベース体８７に対し開閉可能に装着されたカバー体８８とを備えて副制御基板８６を収納するボックス形状に構成されている。
【００４８】
副制御基板ボックス８５と主制御基板ボックス７６の一側（図１６に向かって右側）には、ヒンジ機構８１を構成するヒンジ片８１ａ、８１ｂがそれぞれ一体に形成され、これらヒンジ片８１ａ、８１ｂにはヒンジピン８２ａとヒンジ孔８２ｂが形成されている。そして、副制御基板ボックス８５に対し、主制御基板ボックス７６がそのヒンジ機構８１のヒンジピン８１ａを中心として水平方向（垂直方向の軸線回り）に回動可能に支持されるとともに、ヒンジ孔８２ｂからヒンジピン８２ａが上方に抜け出る所定高さだけ持ち上げられることで取り外し可能に構成されている。
また、副制御基板ボックス８５と主制御基板ボックス７６の自由端側には、主制御基板ボックス７６を装着状態に係脱可能に保持する適宜の係止具（図示しない）が配設されている。
また、主制御基板ボックス７６は、ベース体７８とそのベース体７８に対し開閉可能に装着されたカバー体７９とを備えて主制御基板７７を収納するボックス形状に構成されている。
【００４９】
［基板ボックスの検査用封印部について］
さて、この実施例において、図１７と図１８に示すように、基板ボックスとしての主制御基板ボックス７６のベース体７８とカバー体７９との間には、同ベース体７８に対しカバー体７９を封印しかつ検査時に開封される複数の検査用封印部８０が設けられている。
この実施例においては、複数の検査用封印部８０は、例えば、特許文献１（特開２００３ー２６５８０８号公報）に開示されている封印部と略同様の構造をもつ封印構造が採用されている。
すなわち、図１８に示すように、複数の検査用封印部８０は、カバー体７９に一体に形成された連結部８０ｂの挿通孔からベース体７８に一体に形成された連結部８０ａの締付部にわたって筒状部材８０ｅが挿通された後、その筒状部材８０ｅの中心孔に封印ねじ８０ｃをねじ込む。これによって、筒状部材８０ｅの一端部の絞り孔部において押し広げてかしめ、カシメ部８０ｆを形成する。そして、そのカシメ部８０ｆをベース体７８の連結部８０ａの締付部に係合させることによって、ベース体７８とカバー体７９とを封印するようになっている。
【００５０】
また、封印ねじ８０ｃとしては、その封印ねじ８０ｃの頭部に形成された工具用溝が締め付け方向に対してのみ工具（例えば、ドライバー）に係合し、反対方向へは逃げるように工夫されたワンウエーねじが用いられる。
また、封印ねじ８０ｃとしては、その頭部の工具用溝に対し所定値以上の締め付け力が作用したときに、頭部が破断される破断ねじを用いてもよい（例えば、特許文献２（特開２０００ー３０８７４３号公報）に開示された封印ねじ参照）。
前記した複数の検査用封印部８０のうち、一つの検査用封印部８０が遊技機メーカから遊技機を出荷する前に、予め遊技機メーカ側で封印される。
なお、図１８に示すように、カバー体７９の封印用の連結部８０ｂの挿通孔開口部には、キャップ８０ｇが嵌込まれて弾性的に止着され、これによって、封印ねじ８０ｃの頭部が覆われている。
【００５１】
［基板ボックスのホール管理用封印部について］
図１６と図１７に示すように、ボックス装着部７１と主制御基板ボックス７６との間には、ボックス装着部７１に対し主制御基板ボックス７６及び副制御基板８６を遊技機ホールの管理下において、必要に応じて封印可能なホール管理用封印部８９が設けられている。
ホール管理用封印部８９は、遊技機ホールにおいて管理できるように工夫された結束ベルト（この発明のホール管理用紐状封印部材に相当する）９３と、ボックス装着部７１に一体に形成された装着部側挿通部９０と、主制御基板ボックス７６のカバー体７９に一体に形成されたボックス側挿通部９１と、を備えて構成される。
この実施例において、図１６と図１７に示すように、主制御基板ボックス７６の自由端側において、装着部側挿通部９０とボックス側挿通部９１がそれぞれ形成されている。
【００５２】
図１６と図１７に示すように、結束ベルト９３は、筒状をなし、かつ筒内に弾性変形可能なロック爪を有する本体部９５と、その本体部９５から一体に延出された長尺ベルト状をなすベルト体９４とを備えている。また、ベルト体９４の一側面の長手方向には、ロック爪に対応する複数のロック歯が形成されている。
また、結束ベルト９３において、本体部９５のロック爪とベルト体９４の複数のロック歯は、ベルト体９４の締め付け方向の移動は許容し反対方向（緩む方向）への移動は阻止する、いわゆるワンウエーの噛み合い構造を有している。
【００５３】
特に、ホール管理用紐状封印部材として結束ベルト９３を用いた場合には、入手を困難にし、かつ遊技機ホールにおいて管理できるように工夫された結束ベルト９３が用いられる。
すなわち、結束ベルト９３は、市販されていない特殊な仕様とする。例えば、例えば、結束ベルト９３を独特の蛍光色に形成したり、あるいは結束ベルト９３の表面にブラックライトによって照らすことで認識可能なインクによって封印表示（模様、番号、記号等の表示）を印刷したり、成形時に表面に精微な模様や文字等を刻み込む等の加工を施す。
【００５４】
そして、遊技機ホールの管理下において、結束ベルト９３が準備され、かつ必要に応じて結束ベルト９３のベルト体９４が装着部側挿通部９０とボックス側挿通部９１にわたって挿通される。その後、ベルト体９４が本体部９５に挿通され、そのベルト体９４の先端部が引っ張られることによって、ベルト体９４の複数のロック歯のうち、適宜のロック歯が本体部９５のロック爪に係合する。これによって、後カバー体７０のボックス装着部７１に対し副制御基板ボックス８５を間に挟んで主制御基板ボックス７６が結束された状態で封印されるようになっている。
【００５５】
また、この実施例において、遊技盤４０の後側に対し後カバー体７０、副制御基板ボックス８５及び主制御基板ボックス７６がそれぞれ装着された状態において、本体枠３０の遊技盤装着部３１の前側からその遊技盤装着枠３３内に遊技盤４０を嵌込んで装着できるように、遊技盤４０の外郭から外側にはみ出すことなく、後カバー体７０、副制御基板ボックス８５及び主制御基板ボックス７６が配置されている。
また、この実施例において、図４と図５に示すように、遊技盤４０の後側の他側寄り下部には、本体枠３０の遊技盤装着部３１の前側からその遊技盤装着枠３３内に遊技盤４０を嵌込む動作によって、本体側コネクタ３７に挿脱可能に差し込まれる遊技盤側コネクタ４５が設置されている。
【００５６】
［実施例の作用・効果について］
この実施例に係る遊技機は上述したように構成される。
したがって、主制御基板ボックス７６のベース体７８とカバー体７９との間に設けられた検査用封印部８０を目視することによって、検査用封印部８０が不測に開封されたか否かを確認することができる。
そして、検査用封印部８０が不測に開封されていることを目視した上で、主制御基板ボックス７６を点検することによって、主制御基板ボックス７６に対する不正行為、例えば、主制御基板７７上に実装された電子部品（例えば、ＲＯＭ）等が不正に交換されたり、不正部品が接続されたりする不正行為を早期に発見することができる。
特に、遊技機ホールの管理下において、必要に応じてホール管理用封印部８９によって基板装着部７１と主制御基板ボックス７６とを、副制御基板ボックス８５を間に挟んで封印可能にすることで、副制御基板ボックス８５を封印することができるとともに、主制御基板ボックス７６を二重に封印可能にすることができる。
【００５７】
ホール管理用封印部８９によって基板装着部７１と主制御基板ボックス７６とを封印した場合には、ホール管理用封印部８９の結束ベルト９３の有無やその結束ベルト９３が正規の結束ベルト９３であるか否かを目視することによって、ホール管理用封印部８９が不測に開封されたか否かを確認することができる。
そして、ホール管理用封印部８９が不測に開封されていることを目視した上で、主制御基板ボックス７６の裏面を点検することによって、主制御基板ボックス７６の裏面に対し、不正電子部品や不正基板が付設されたり、あるいは不正接続線が配線される等の不正行為を早期に発見することができる。
さらに、ホール管理用封印部８９が不測に開封されていることを目視した上で、主制御基板ボックス７６自体を点検することによって、遊技機メーカにおいて設置された正規の主制御基板ボックス７６と外観上見分けがつきにくい不正の基板ボックスと置き換えられているか否かを確認することによって、主制御基板ボックス７６の不正取替を早期に発見することができる。
【００５８】
また、ホール管理用封印部８９において、ホール管理用紐状封印部材として結束ベルト９３を用いた場合には、遊技機ホールにおいて管理できるように工夫されかつ入手を困難にした結束ベルト９３が用いられるため、基板装着部７１と主制御基板ボックス７６とを確実に封印することができる。
言い換えると、市販品の結束ベルトをそのままの状態で使用すると、結束ベルト９３を切断して開封した後、市販の結束ベルト９３を用いて不正に封印することが容易であるが、この実施例においてはこのような不正開封、不正封印を防止することができる。
【００５９】
また、この実施例において、略鉛直状をなすボックス装着部７１に対し、副制御基板ボックス８５をヒンジ機構７２によって水平方向に回動可能に装着するとともに、その副制御基板ボックス８５の略鉛直状をなす後面（ボックス装着部）に対し、主制御基板ボックス７６をその一側においてヒンジ機構８１によって水平方向に回動可能に装着することによって、副制御基板ボックス８５及び主制御基板ボックス７６を各ヒンジ機構７２、８１のヒンジ回動部に生じる摩擦力や自重によって所望とする水平回動位置に静止可能とする。
そして、副制御基板ボックス８５及び主制御基板ボックス７６を所望とする水平角度位置まで回動した状態において、これら副制御基板ボックス８５及び主制御基板ボックス７６の裏面を目視によって点検する作業を容易に行うことができる。
【００６０】
また、この実施例において、ボックス装着部７１の近い奥側に副制御基板ボックス８５が手前側に主制御基板ボックス７６が重ね合わされて装着された状態において、各奥側に各ボックスのベース体７８、８７が位置するとともに、手前側にカバー体７９、８８が位置している。
そして、ボックス装着部７１と主制御基板ボックス７６のカバー体７９との間に、ホール管理用封印部８９が設けられている。
さらに、主制御基板ボックス７６の自由端側に位置して、同主制御基板ボックス７６のカバー体７９にボックス側挿通部９１が一体に形成され、ボックス装着部７１に装着部側挿通部９０が一体に形成される。そして、装着部側挿通部９０とボックス側挿通部９１にわたってホール管理用紐状封印部材としての結束ベルト９３のベルト体９４が挿通される。その後、ベルト体９４が本体部９５に挿通され、そのベルト体９４の先端部が引っ張られることによって、ベルト体９４の複数のロック歯のうち、適宜のロック歯が本体部９５のロック爪に係合する。これによって、後カバー体７０のボックス装着部７１に対し副制御基板ボックス８５を間に挟んで主制御基板ボックス７６が結束された状態で封印される。
このようにして、主制御基板ボックス７６の自由端側をホール管理用封印部８９によって封印することで、ホール管理用封印部８９が本来の封印としての機能を達成する他、ボックス装着部７１に対し主制御基板ボックス７６及び副制御基板ボックス８５を装着姿勢に係止する係止機能を兼ね備えることができる。このため、主制御基板ボックス７６及び副制御基板ボックス８５を装着姿勢に係止するための専用の係止具を廃止することが可能となる。
【００６１】
さらに、主制御基板ボックス７６の自由端側をホール管理用封印部８９によって封印することで、ボックス装着部７１に対し主制御基板ボックス７６及び副制御基板ボックス８５を各ヒンジ機構７２、８１において強制的に回動しづらくすることができる。これによって、主制御基板ボックス７６及び副制御基板ボックス８５の裏面に対する不正行為の防止に効果が大きい。
すなわち、主制御基板ボックス７６及び副制御基板ボックス８５を各ヒンジ機構７２、８１側に位置して装着部側挿通部９０とボックス側挿通部９１とがそれぞれ形成されると、結束ベルト９３によって封印されている場合においても、ボックス装着部７１に対し主制御基板ボックス７６及び副制御基板ボックス８５を各ヒンジ機構７２、８１において強制的に回動して、これら主制御基板ボックス７６及び副制御基板ボックス８５の自由端側の裏面に隙間を生じさせ、その隙間からの不正基板等が挿入されて不正行為がなされることが想定される。しかしながら、前記したよに主制御基板ボックス７６の自由端側をホール管理用封印部８９によって封印することで、前記不正行為を防止することができる。
【００６２】
［他の実施例について］
なお、この発明は前記実施例に限定するものではない。
例えば、前記実施例においては、後カバー体７０の後面のボックス装着部７１に対し、副制御基板ボックス８５と、主制御基板ボックス７６とが前後に重ね合わされた状態で装着される場合を例示したが、後カバー体７０以外のボックス装着部に主制御基板ボックス７６、副制御基板ボックス８５等の基板ボックスを装着する場合に採用することができる。
例えば、ボックス装着部に対し、検査用封印部８０を有する基板ボックスが、その一側において回動可能に装着され、そのボックス装着部と基板ボックスとの自由端側に、ホール管理用封印部８９を設けることによってもこの発明を実施することができる。
また、ホール管理用封印部８９において、合成樹脂製の結束ベルト９３以外のホール管理用紐状封印部材を用いて封印することもできる。
また、合成樹脂製の結束ベルト９３以外のホール管理用紐状封印部材としては、例えば、金属製の紐状部材、繊維の紐状部材等が含まれる。
また、ホール管理用紐状封印部材として金属製の紐状部材を用いた場合、図１９に示すように、装着部側挿通部９０とボックス側挿通部９１にわたって金属製の紐状部材３９３が挿通された後、その紐状部材３９３の両端部を鉛のような結束筒３８４に挿入してから、その結束筒３８４を専用のかしめ工具によってかしめ、そのカシメ部の表面に遊技機ホール特有の封印表示（凹凸模様、番号、記号等の表示）３９５を設けて封印することが望ましい。
また、ホール管理用紐状封印部材として繊維の紐状部材を用いた場合、紐状部材の両端を熱可塑性樹脂よりなる結束体の溶融固化によって結合し、その結合樹脂部分の表面に遊技機ホール特有の封印表示（凹凸模様、番号、記号等の表示）を設けて封印することが望ましい。
また、パチンコ機以外の遊技機、例えば、スロットマシンや、パチンコ球を使用してスロットゲームを行う遊技機の所定位置にボックス装着部が設けられ、そのボックス装着部に回路基板が収納された基板ボックスが装着される場合であってもこの発明を採用することができる。
【図面の簡単な説明】
【００６３】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠と遊技盤とを分離して斜め右上前方から示す斜視図である。
【図５】同じく遊技機の本体枠を斜め左上前方から示す斜視図である。
【図６】同じく遊技機の後側上部を拡大して示す部分背面図である。
【図７】同じく図６のＶＩＩ−ＶＩＩ線に基づく側断面図である。
【図８】同じく図６のＶＩＩＩ−ＶＩＩＩ線に基づく側断面図である。
【図９】同じく本体枠の機構装着部の上隅部に形成された階段状装着部に端子基板が装着された状態を拡大して示す平断面図である。
【図１０】同じく図６のＸ−Ｘ線に基づく側断面図である。
【図１１】同じく階段状装着部に端子基板が装着された状態を拡大して示す縦断面図である。
【図１２】同じく端子基板装着部としての階段状装着部の上段及び下段の各垂直装着部に端子基板がそれぞれ装着された状態を示す斜視図である。
【図１３】同じく球タンクを拡大して示す平面図である。
【図１４】同じく球タンクを拡大して示す斜視図である。
【図１５】同じくタンクレール、タンクレールの天井部及び整流体の関係を示す説明図である。
【図１６】同じく遊技盤後側の後カバー体に主制御基板ボックスと副制御基板ボックスとが前後に重ね合わされて装着された状態を示す説明図である。
【図１７】同じく後カバー体に対し主制御基板ボックスが第２封印手段としての結束ベルトによって封印された状態を示す斜視図である。
【図１８】同じく主制御基板ボックスの検査用封印部の封印状態を示す図１７のＸＶＩＩＩ−ＸＶＩＩＩ線に基づく断面図である。
【図１９】同じくホール管理用封印部の紐状封印部材の変更例を示す説明図である。
【符号の説明】
【００６４】
１０  外枠
３０  本体枠
３３  遊技盤装着枠
４０  遊技盤
７０  後カバー体
７１  ボックス装着部
７２  ヒンジ機構
７６  主制御基板ボックス
７７  主制御基板
７８  ベース体
７９  カバー体
８０  検査用封印部
８１  ヒンジ機構
８５  副制御基板ボックス
８９  ホール管理用封印部
９０  装着部側挿通部
９１  ボックス側挿通部
【図１】
2005193009.tif 000003
【図２】
2005193009.tif 000004
【図３】
2005193009.tif 000005
【図４】
2005193009.tif 000006
【図５】
2005193009.tif 000007
【図６】
2005193009.tif 000008
【図７】
2005193009.tif 000009
【図８】
2005193009.tif 000010
【図９】
2005193009.tif 000011
【図１０】
2005193009.tif 000012
【図１１】
2005193009.tif 000013
【図１２】
2005193009.tif 000014
【図１３】
2005193009.tif 000015
【図１４】
2005193009.tif 000016
【図１５】
2005193009.tif 000017
【図１６】
2005193009.tif 000018
【図１７】
2005193009.tif 000019
【図１８】
2005193009.tif 000020
【図１９】
2005193009.tif 000021